(57)【特許請求の範囲】
【請求項１】
充電器に接続可能な携帯端末であって、
所定の情報を画像、発光、音声、及び振動の少なくとも１つにより通知する通知部と、
前記携帯端末に接続される充電器が第１の充電器であるか第２の充電器であるかを識別する充電器検出部と、
前記携帯端末に接続された充電器が前記第１の充電器であるか前記第２の充電器であるかに応じて、前記通知部が使用者に対し異なる通知を行うように前記通知部を制御する制御部と、
を備え、
前記充電器検出部は前記携帯端末の端子と接続され、
前記第１の充電器において、前記携帯端末の前記端子に接続される端子は接地されているのに対し、前記第２の充電器において、前記携帯端末の前記端子に接続される端子は設けられてないか又は接地されておらず、
前記充電器検出部は前記携帯端末と前記充電器とが接続されたときに電圧を測定することにより、前記携帯端末に接続される充電器が前記第１の充電器であるか前記第２の充電器であるかを識別する、
携帯端末。
【請求項２】
前記制御部は、前記携帯端末に接続された充電器が前記第１の充電器である場合に、前記通知部に対し、前記携帯端末に接続された充電器が前記第２の充電器である場合に前記通知部が通知する前記所定の情報のうち、少なくとも一部を通知させない制御を行う、
請求項１に記載の携帯端末。
【請求項３】
前記制御部は、前記携帯端末に接続された充電器が前記第１の充電器である場合に、前記通知部に対し、前記携帯端末に接続された充電器が前記第２の充電器である場合の前記所定の情報の通知方法とは異なる方法で、前記所定の情報を通知させる制御を行う、
請求項１又は２に記載の携帯端末。
【請求項４】
前記制御部は、前記携帯端末に接続された充電器が前記第１の充電器である場合に、前記通知部の表示画面において、前記表示画面に表示される情報の色表示を、前記表示画面の背景画面の色表示よりも高明度の色で表示させる、
請求項３に記載の携帯端末。
【請求項５】
充電器に接続可能な携帯端末の制御方法であって、
前記携帯端末に接続される充電器が第１の充電器であるか第２の充電器であるかを前記携帯端末の充電器検出部が識別する第１のステップと、
前記携帯端末に接続された充電器が前記第１の充電器であるか前記第２の充電器であるかに応じて、使用者に対する所定の情報の通知を異なる通知にする第２のステップと、を備え、
前記充電器検出部は前記携帯端末の端子と接続され、
前記第１の充電器において、前記携帯端末の前記端子に接続される端子は接地されているのに対し、前記第２の充電器において、前記携帯端末の前記端子に接続される端子は設けられてないか又は接地されておらず、
前記第１のステップにおいて、前記充電器検出部は前記携帯端末と前記充電器とが接続されたときに電圧を測定することにより、前記携帯端末に接続される充電器が前記第１の充電器であるか前記第２の充電器であるかを識別する、
携帯端末の制御方法。
【請求項６】
充電器に接続可能な携帯端末の制御プログラムであって、
前記携帯端末に接続される充電器が第１の充電器であるか第２の充電器であるかを前記携帯端末の充電器検出部が識別する第１の処理と、
前記携帯端末に接続された充電器が前記第１の充電器であるか前記第２の充電器であるかに応じて、使用者に対する所定の情報の通知を異なる通知にする第２の処理と、を前記携帯端末に実行させ、
前記充電器検出部は前記携帯端末の端子と接続され、
前記第１の充電器において、前記携帯端末の前記端子に接続される端子は接地されているのに対し、前記第２の充電器において、前記携帯端末の前記端子に接続される端子は設けられてないか又は接地されておらず、
前記第１の処理において、前記充電器検出部は前記携帯端末と前記充電器とが接続されたときに電圧を測定することにより、前記携帯端末に接続される充電器が前記第１の充電器であるか前記第２の充電器であるかを識別する、
携帯端末の制御プログラム。
【発明の詳細な説明】
【技術分野】
【０００１】
本発明は携帯端末、携帯端末の制御方法及び携帯端末の制御プログラムに関する。
【背景技術】
【０００２】
電子機器の表示画面又は音声の制御技術に関して、様々な制御方法が提案されている。例えば、特許文献１では、液晶テレビ等の表示装置において、目覚まし予定時刻前から画面表示を次第に明るくし、目覚まし予定時刻になった際に、表示装置から音声を出力する技術が開示されている。
【０００３】
携帯電話等の携帯端末における表示画面、着信音、筐体に設けられたランプの発光等といった使用者への通知に係る技術でも、様々な制御方法が提案されている。例えば、特許文献２では、携帯端末が、使用者に必ずしも有用でない表示を表示画面上から削除する技術が開示されている。特許文献３では、携帯端末の開閉状態、周囲の照度及び携帯端末が充電中か否かに関して判定を行い、判定結果に応じて携帯端末の着信モードを「通常モード」又は「就寝モード」にする技術が開示されている。特許文献４では、携帯端末がマナーモードに設定されている場合、周囲の照度又は現在位置に応じて、表示画面の表示色及び輝度を制御する技術が開示されている。また、特許文献５〜９では、周囲の環境の照度、現在時刻等の情報に基づき、携帯端末が表示画面の輝度を自動で調整する技術が開示されている。
【先行技術文献】
【特許文献】
【０００４】
【特許文献１】特開２００９−０２５２６３号公報
【特許文献２】特開２００８−１４８０５４号公報
【特許文献３】特開２００６−３５２７６５号公報
【特許文献４】特開２００７−２５８８９４号公報
【特許文献５】特開２００８−２１９６５９号公報
【特許文献６】特開２００５−２８６７３８号公報
【特許文献７】特開２００６−１４６０３０号公報
【特許文献８】特開２００９−１２４２６６号公報
【特許文献９】特開２００９−３００５１５号公報
【発明の概要】
【発明が解決しようとする課題】
【０００５】
携帯端末は、緊急連絡等の対応にも備えるため、使用者の就寝時に枕元に置いて使用されるケースが多い。さらに、携帯端末の機能アップによる携帯端末の消費電流増加に伴い、昼間の使用による電池容量減少のため、就寝時に携帯端末の充電を行うケースがある。
【０００６】
上述したように、特許文献３は、電話着信及びメール着信などを使用者に対して通知するための通知方法を携帯端末の充電状態に基づいて変更すること、具体的には通知を抑制することを開示している。ここで、通知方法は、視覚、聴覚、及び触覚の少なくとも１つにより使用者が認識可能な表示、つまり画像、発光、音声、振動の少なくとも１つによる表示を含む。しかしながら、本願の発明者は、特許文献３に開示された技術では、使用者の就寝時を考慮した携帯電話端末の動作モードの変更（電話着信等の通知方法の変更、表示の抑制など）が適切に動作しないおそれがあるとの問題点を見出した。すなわち、特許文献３の技術では、充電場所が自宅の寝室以外（例えば、会社、喫茶店等）であり、かつ周囲が薄暗い場合には、使用者が起きているにも関わらず、着信モードが「就寝モード」に設定されることも考えられる。なお、その他の特許文献１〜２、４〜９には、携帯端末の充電状態に応じて、電話着信、メール着信等を使用者に通知するための表示方法を変更する技術は開示されていない。
【０００７】
本発明は、このような問題点を解決するためになされたものであり、使用者の自宅、寝室などの特定の場所にて携帯端末が充電されていることに応じて、使用者に対する通知を適切に制御することができる携帯端末、携帯端末の制御方法及び携帯端末の制御プログラムを提供することを目的とする。
【課題を解決するための手段】
【０００８】
本発明にかかる携帯端末は、充電器に接続可能な携帯端末であって、所定の情報を画像、発光、音声、及び振動の少なくとも１つにより通知する通知部と、前記携帯端末に接続される充電器を識別する充電器検出部と、前記携帯端末に接続された充電器の種別に応じて、前記通知部が使用者に対し異なる通知を行うように前記通知部を制御する制御部を備える。
【０００９】
本発明にかかる携帯端末の制御方法は、充電器に接続可能な携帯端末の制御方法であって、前記携帯端末に接続される充電器を識別するステップと、前記携帯端末に接続された充電器の種別に応じて、所定の情報に関する通知を異なる通知にするステップを備える。
【００１０】
本発明にかかる携帯端末の制御プログラムは、充電器に接続可能な携帯端末の制御プログラムであって、前記携帯端末に接続される充電器を識別する処理と、前記携帯端末に接続された充電器の種別に応じて、所定の情報に関する通知を異なる通知にする処理を前記携帯端末に実行させる。
【発明の効果】
【００１１】
本発明により、使用者の自宅、寝室などの特定の場所にて携帯端末が充電されていることに応じて、使用者に対する通知を適切に制御することができる携帯端末、携帯端末の制御方法及び携帯端末の制御プログラムを提供することができる。
【図面の簡単な説明】
【００１２】
【図１】実施の形態１にかかる、携帯端末の全体構成例を示すブロック図である。
【図２】実施の形態２にかかる、携帯端末の全体構成例を示すブロック図である。
【図３】実施の形態２にかかる、充電器と携帯端末の構成例を示すブロック図である。
【図４】実施の形態２にかかる、表示制御を示す制御フローの図である。
【図５】実施の形態２にかかる、第１の画面表示例を示す図である。
【図６】実施の形態２にかかる、第２の画面表示例を示す図である。
【図７】実施の形態２にかかる、第３の画面表示例を示す図である。
【図８】実施の形態２にかかる、キーを押した際の制御を示す制御フローの図である。
【発明を実施するための形態】
【００１３】
実施の形態１
以下、図１を参照して本発明の実施の形態１について説明する。図１は、本実施の形態における携帯端末１０の全体構成を示すブロック図である。携帯端末１０は、通知部１、制御部２、充電器検出部３を備えている。また、携帯端末１０は、充電器１００と接続が可能であり、充電器１００を用いて、携帯端末１０内にある二次電池（図示せず）の充電を行うことができる。
【００１４】
携帯端末１０は、例えば携帯電話、ＰＨＳ（Ｐｅｒｓｏｎａｌ  Ｈａｎｄｙ−ｐｈｏｎｅ  Ｓｙｓｔｅｍ）、携帯情報端末、スマートフォン等の携帯端末である。充電器１００は、例えばＡＣアダプタ、ＵＳＢ（Ｕｎｉｖｅｒｓａｌ  Ｓｅｒｉａｌ  Ｂｕｓ）充電器、乾電池アダプタ、補助充電アダプタ等の充電器である。充電器１００の一部は携帯端末１０のインターフェイス部（図示せず）を保持することで、充電器１００は携帯端末１０と電気的に接続し、携帯端末１０内の二次電池の充電をすることができる。また、充電器１００には、卓上ホルダ又は充電用クレードル等の機器を付加してもよい。携帯端末１０内の二次電池は、リチウムイオン二次電池、リチウムイオンポリマー二次電池、ニッケル水素充電池など、携帯端末への使用用途に適した二次電池であれば任意の二次電池でよい。
【００１５】
通知部１は、携帯端末１０において所定の情報を使用者に対して通知する部分である。通知部１は、所定の情報を画像、発光、音声、及び振動の少なくとも１つにより通知する。通知部１は、例えば携帯端末１０の表示画面、携帯端末１０の筐体に設けられたＬＥＤ（Ｌｉｇｈｔ  Ｅｍｉｔｔｉｎｇ  Ｄｉｏｄｅ）等の光源、スピーカー、バイブレート振動部である。また「所定の情報」とは、例えば、メール又は電話の着信、現在時刻、携帯端末の二次電池の残量、電波の強度、マナーモードの設定、アラーム機能の設定等の情報であり、一般の携帯端末において通知される情報である。
【００１６】
制御部２は、通知部１を制御し、所定の情報を使用者に通知する。また、充電器検出部３が取得した情報に基づき、充電器１００を識別する。さらに、前記携帯端末に接続された充電器の種別に応じて、通知部１が使用者に対し異なる通知を行うように制御することも行う。具体的には、制御部２は通知部１の表示画面、携帯端末１０の筐体に設けられた光源、出力する音の音量調節、バイブレート動作の制御等を行うほか、携帯端末１０のキー操作部等にバックライトが設けられている場合には、その光源の発光制御も行う。
【００１７】
この制御部２は、例えば、携帯端末１０内のＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等から構成されている。ＣＰＵは、ＲＯＭに記憶されているプログラムやＲＡＭにロードされた各種のアプリケーションプログラムを読み込むことで、携帯端末１０を制御する。ＲＯＭには、携帯端末１０を制御するための各種プログラムが記憶されている。ＲＡＭには、ＣＰＵが各種の処理を実行する上で必要なデータが適宜記憶される。なお、ＲＯＭではなく、他の不揮発性メモリを用いてもよい。
【００１８】
充電器検出部３は、携帯端末１０に接続される充電器の種別を識別し、制御部２に当該充電器の種別の情報を出力する。例えば、充電器検出部３は電圧を測定する機能を有しており、所定の充電器には、携帯端末１０内の二次電池を充電するための端子のほか、携帯端末１０に設けられた充電器検出部３に接続するための端子（以下、当該端子を識別端子ともいう）が設けられている。なお、所定の充電器以外には、接地された識別端子は設けられていない。また、所定の充電器において、識別端子は充電器内で接地されている。
【００１９】
以上の場合において、携帯端末１０を所定の充電器（第１の充電器）と接続する際に、充電器検出部３が測定する電圧は略０Ｖである。充電器検出部３は、接地された識別端子と接続するからである。しかし、携帯端末１０を所定の充電器以外の充電器（第２の充電器）に接続する際に、充電器検出部３が測定する電圧は略０Ｖではない。なぜなら、充電器検出部３は接地された識別端子と接続されないからである。この例では、充電器検出部３は電圧を測定することによって、接続された充電器が所定の充電器であるか否かについての情報を取得した。
【００２０】
この情報から、充電器検出部３は、携帯端末１０に接続される充電器の種別を識別する。例えば、前述の通り、所定の充電器には接地された識別端子が設けられており、それ以外の充電器には識別端子が設けられていない場合に、制御部２は、充電器検出部３が測定した電圧が略０Ｖであれば所定の充電器であると識別し、電圧が略０Ｖでなければ所定の充電器ではないと識別する。この際、識別には、所定の閾値を用いる。充電器検出部３は、この識別結果を制御部２に出力する。
【００２１】
あるいは、充電器にはＩＣ（Ｉｎｔｅｇｒａｔｅｄ  Ｃｉｒｃｕｉｔ）タグが備えられており、充電器検出部３はＩＣタグリーダで充電器に備えられたＩＣタグを読み取ることで、充電器の種別を識別してもよい。つまり、充電器検出部３は、読み取ったＩＣタグが所定の充電器のＩＣタグであるか否かを識別することで、充電器の種別を識別する。
【００２２】
なお充電器検出部３は、例えばＣＰＵ、ＲＯＭ、ＲＡＭ等を備えた、ＩＣ等で構成される。
【００２３】
以下、制御部２が行う制御内容について説明する。携帯端末１０に充電器１００が接続された際、充電器検出部３は、上述の通り、携帯端末１０に接続される充電器１００の種別を識別する。この処理を第１のステップとする。充電器検出部３は、制御部２に、識別結果である充電器１００の種別の情報を出力する。
【００２４】
制御部２は、充電器検出部３から出力された充電器１００の種別の情報に基づいて、通知部１が使用者に対し異なる通知を行うように通知部１を制御する。この処理を第２のステップとする。例えば、充電器検出部３が、充電器１００が所定の充電器であると識別した場合に、制御部２は通知部１に対し、他の充電器に接続された場合に通知部１が通知する前記所定の情報のうち、少なくとも一部を通知させない制御を行う。
【００２５】
この制御の一例として、制御部２は、通知部１の画面ディスプレイにおいて表示する情報を削減してもよい。例えば、電話又はメールの着信情報、電波の強度、マナーモードの設定等のアイコンを消去させることなどである。また、電話又はメールの着信を検知した際に、制御部２は、着信時の着信音又はバイブレート動作の停止、キー操作部のバックライト又は携帯端末１０の筐体に設けられた光源を発光させない等の制御を行ってもよい。
【００２６】
また、充電器検出部３が、充電器１００が所定の充電器であると識別した場合に、制御部２は通知部１に対し、他の充電器とは異なる方法で前記所定の情報を通知させる制御を行ってもよい。この制御の一例として、制御部２は、通知部１の画面ディスプレイの画面の表示輝度の低減を行ってもよい。また、電話又はメールの着信を検知した際に、制御部２は、着信時の着信音又はバイブレート動作の削減、キー操作部のバックライト又は携帯端末１０の筐体に設けられた光源の発光の抑制といった制御を行ってもよい。また、制御部２は、電話又はメールの着信情報を着信音ではなく、バイブレート動作若しくは端末に設けられた光源の発光によって使用者に通知するようにしてもよい。
【００２７】
あるいは、充電器検出部３が、充電器１００が所定の充電器であると識別した場合に、制御部２は通知部１に対し、他の充電器では表示されなかった所定の情報を表示する制御を行ってもよい。例えば、それ以外の充電器ではなかったアイコンの表示、着信音又はバイブレートの動作、光源の発光等を行うように制御してもよい。また、通知部１の画面ディスプレイの画面の表示輝度を上げること、着信音又はバイブレート動作を増大させること等の制御を行ってもよい。
【００２８】
制御部２は、充電器１００が所定の充電器ではないと識別した場合には、前述の特別な制御は行わない。
【００２９】
以上、使用者は携帯端末１０を、所定の充電器と接続することにより、他の充電器に接続する場合とは異なる通知を行うようにすることができる。この所定の充電器は、使用者の自宅、寝室などの特定の場所にて用いられる。つまり、本実施形態においては、使用者の自宅、寝室などの特定の場所にて携帯端末が充電されていることに応じて、使用者に対する通知を適切に制御することができる携帯端末、携帯端末の制御方法及び携帯端末の制御プログラムを、提供することができる。
【００３０】
実施の形態２
以下、図面を参照して本発明の実施の形態２について説明する。図２は、本実施形態における、携帯端末の全体構成を示したブロック図である。図３は、本実施形態における、設定用充電器と携帯端末の構成例を示すブロック図である。図４は、本実施形態における、画面の表示制御を示す制御フローである。図５は、本実施形態における第１の画面表示例を示す図であり、画面に時刻情報及び日付情報のみが文字情報として表示されている。図６は、本実施形態における第２の画面表示例を示す図であり、画面に時刻及び日付と、着信番号のみが文字情報として表示されている。図７は、本実施形態における第３の画面表示例を示す図であり、画面に時刻及び日付と、メール着信のみが文字情報として表示されている。図８は、本実施形態のキー押下時の、画面の表示制御を示す制御フローである。
【００３１】
なお、本実施の形態において、携帯端末が所定の充電器と接続された際に、制御部は携帯端末の画面表示を通常の動作時と異なるように制御を行う。具体的に言えば、制御部は表示画面の表示を、低輝度の表示状態（第１の低輝度表示状態）に設定する。制御部は表示画面の背景画面を黒色で表示し、表示画面に表示する情報を白色で表示させる。また、表示画面に表示する情報は、時刻情報あるいは着信情報のみである。この画面表示を行う携帯端末１０の状態を、以降では「通知抑制モード」と記述する。
【００３２】
まず、図２から、本実施形態における携帯端末１０の全体構成を説明する。本実施形態における携帯端末１０は、制御部１１、表示部１２、時計回路１３、開閉検出部１４、記憶部１５、操作部１６、送受信部１７、充電回路部１８、充電検出部１９を備えている。携帯端末１０は、ここでは折り畳むことが可能な、携帯電話やＰＨＳ等の携帯端末である。なお、実施の形態１の通知部１、制御部２、充電器検出部３はそれぞれ、図２の表示部１２、制御部１１、制御部１１及び充電検出部１９に対応する。また、実施の形態１での「所定の充電器」は、図２の充電器１００に対応する。
【００３３】
制御部１１は、携帯端末１０の機能制御をつかさどる制御回路であり、表示部１２、時計回路１３、開閉検出部１４、記憶部１５、操作部１６、送受信部１７、充電回路部１８、充電検出部１９から出力される情報データの受信及び受信した情報データの処理、また制御データの各部への出力を行っている。ここでは図示しないが、制御部１１は、携帯端末１０内のＣＰＵ、ＲＡＭ等から構成されている。
【００３４】
表示部１２は、携帯端末１０において、画像や情報の表示を行う。表示部１２は、任意の輝度で所定の情報を画面に表示することができる。表示部１２は、情報等の表示を行うディスプレイ１２−１と、表示画面バックライト１２−２を備えている。ディスプレイ１２−１は携帯端末１０の表示画面であり、ここでは液晶ディスプレイである。また、表示画面バックライト１２−２は、小型化できる光源から構成されており、ＬＥＤ等の光源から構成されている。表示画面バックライト１２−２は、ディスプレイ１２−１の背面から光を点灯し、ディスプレイ１２−１の輝度を可変させる機能を有する。
【００３５】
表示部１２が行う画像制御は、以下の通りである。表示部１２は、制御部１１から出力される画像表示情報のデータに基づき、ディスプレイ１２−１に画像を表示させる。具体的には、表示部１２は表示画像に応じた電圧を、液晶ディスプレイであるディスプレイ１２−１に加えることで、表示画面バックライト１２−２が放出する光の透過及び遮光を決定する。以上のようなディスプレイ１２−１に対する制御と共に、表示部１２は、制御部１１から送出される輝度調整データに基づき、表示画面バックライト１２−２の輝度を調節する制御を行う。以上の構成により、表示部１２は、ディスプレイ１２−１から使用者に対して透過する光、つまり画面表示の明るさを可変制御することができる。なお、制御部１１から出力される画像表示情報には、前述の実施の形態１の「所定の情報」の内容が含まれる。
【００３６】
時計回路１３は、時刻のカウントを行う時計の回路であり、制御部１１から要求された時点の時刻データを制御部１１に送出する機能を有する。時計回路１３は、ＣＰＵ、ＲＯＭ、ＲＡＭ等を備えた、ＩＣ等で構成される。なお、時刻データには、現在の時刻の他、現在の日付、月、年に関する情報が含まれてもよい。
【００３７】
開閉検出部１４は、携帯端末１０が折り畳まれた状態（以下、閉じた状態という）か、携帯端末１０が折り畳まれずに、表示部１２が使用者に見えている状態（以下、開いた状態という）かを検出する機能を有する。開閉検出部１４は、検出した携帯端末１０の開閉状態を、開閉情報として制御部１１に送出する。例えば、携帯端末１０の電源がオンの状態で、使用者が携帯端末１０の筐体を開いたことを開閉検出部１４が検知した際には、開閉検出部１４は、携帯端末１０が開状態になった情報を制御部１１に送出する。制御部１１は携帯端末１０が開状態になった情報に応じて、表示部１２に画面を表示させ、操作部１６中のキー操作部１６−１を入力可能な状態にさせる等の制御をする制御データを、携帯端末１０の各部に送出することで、携帯端末１０を起動状態にする。開閉検出部１４は、ＣＰＵ、ＲＯＭ、ＲＡＭ等を備えた、ＩＣ等で構成される。
【００３８】
記憶部１５は、制御部１１から送出された情報データを保存する領域を有しており、制御部１１の制御により情報データの読み出し、書き込みを行う。また、携帯端末１０に予め記憶されている画面情報等も、記憶部１５に保存されている。保存されている情報データは、例えば、ディスプレイ１２−１に表示される画面データ、その画面データを表示する際の表示画面バックライト１２−２の輝度のデータ、使用者が登録する時間設定、電話番号やメールアドレスといったものであり、携帯端末１０の使用の際に用いるデータである。なお、記憶部１５は、携帯端末１０内のＲＯＭ、ＲＡＭ、あるいは補助記憶装置から構成される。
【００３９】
操作部１６は、使用者が押すボタンであるキー操作部１６−１と、キー操作部１６−１を照光するキーバックライト１６−２を備えている。使用者がボタンを押してキー操作部１６−１を操作することで、使用者の入力した情報はキー操作部１６−１から制御部１１に出力される。制御部１１は使用者が入力した情報を記憶部１５内に出力することで、入力情報は携帯端末１０内に記憶される。また、キーバックライト１６−２は、制御部１１の制御データに対応した点灯及び消灯の動作を行うことで、操作部１６全体を照光する。使用者が通常使用する状態では、制御部１１は携帯端末１０の筐体を開くことによる携帯端末の起動や、キー操作部１６−１からの入力情報等を検出して、キーバックライト１６−２を点灯させる。それにより、制御部１１は、操作部１６を使用者にとって見やすい状態に制御する。なお、キー操作部１６−１は、携帯端末１０に設けられた、数字や文字を入力するためのキー、電話、メール、カメラ、インターネット接続等の諸アプリケーション機能を実施するためのキーボタンである。また、キーバックライト１６−２の光源は、ＬＥＤ等の、輝度を可変させることができる回路で構成されている。
【００４０】
送受信部１７は無線回路から構成されており、基地局への無線接続及び基地局との無線情報の送受信を行う機能を有している。送受信部１７の制御は制御部１１により行われ、通話の着信番号やメールメッセージの取り込み制御も行われる。例えば、使用者がキー操作部１６−１で電話番号の情報を入力する際には、制御部１１に入力した番号の情報が送出される。制御部１１は、その入力された番号情報に応じて、送受信部１７に対し、入力された番号を有する携帯端末への接続要求を基地局に対して行うよう、制御データを送出する。
【００４１】
充電回路部１８は、携帯端末１０内部の二次電池（図示せず）の充電についての制御を行う機能を有している。具体的に言えば、次の通りである。まず、制御部１１が、携帯端末１０に充電器が接続されたことを検知した場合に、制御部１１は充電回路部１８に対し、当該二次電池を充電器から供給された電力を用いて充電を行う指令を出力する。充電回路部１８はその制御部１１の指令に応じ、当該二次電池に充電を行う。充電回路部１８は当該二次電池の充電の状況を計測し、充電が終了した場合には、制御部１１に充電終了の情報を出力する。また、その際、制御部１１は当該二次電池の過充電を防ぐ指令を充電回路部１８に出力し、充電回路部１８はその指令に応じて、当該二次電池に対する充電を制御する。充電回路部１８は、ＣＰＵ、ＲＯＭ、ＲＡＭ等を備えた、ＩＣ等で構成される。
【００４２】
充電検出部１９は、携帯端末１０に充電器が接続された際、その充電器の情報を取得し、制御部１１に出力する機能を有する。本実施の形態として、充電検出部１９は電圧を測定する機能を有している。充電検出部１９はＣＰＵ、ＲＯＭ、ＲＡＭ等を備えた、ＩＣ等で構成される。
【００４３】
充電器１００は、携帯端末１０と接続して、携帯端末１０内にある二次電池（図示せず）の充電を行うことができる。ここで充電器１００には、携帯端末１０内の二次電池を充電するための端子のほか、充電検出部１９に接続するための端子（識別端子）が設けられている。また、識別端子は充電器１００内で接地されている。この詳細は、以降の図３にて説明する。
【００４４】
次に、本実施形態の、充電器と携帯端末の構成について説明する。図３は、充電器と携帯端末の充電に係る部分の機能ブロックの構成例を示す図である。図３において充電器１００は、ＡＣ（Ａｌｔｅｒｎａｔｉｎｇ  Ｃｕｒｒｅｎｔ）電源ＩＦ部１０１と、電源安定化部１０２と、充電出力ＩＦ部１０３と、接地された抵抗１０４を備えている。充電器２００は「所定の充電器」以外の一般の充電器であり、充電器１００と同様、ＡＣ電源ＩＦ部２０１と、電源安定化部２０２と、充電出力ＩＦ部２０３を備えているが、接地された抵抗は備えていない。また、携帯端末１０は、充電に係る部分として、充電回路部１８、充電検出部１９、充電ＩＦ部２０、二次電池２１を備えている。また携帯端末１０は、以上の各部のほか、図２で示した各部の要素を備えている。
【００４５】
充電器１００のＡＣ電源ＩＦ部１０１は、一般家庭や会社等における商用電源のコンセントから、ＡＣ電源による電力の供給を受ける機能を有する、充電器１００のインターフェイス部である。
【００４６】
電源安定化部１０２は、ＡＣ電源ＩＦ部１０１から供給されるＡＣ電源の電圧を、定電圧の直流電圧に変換する機能を有する。
【００４７】
充電出力ＩＦ部１０３は、携帯端末１０とのインターフェイス部であり、携帯端末１０の充電ＩＦ部２０に接続されることで、携帯端末１０に、電源安定化部１０２が出力した定電圧の直流電圧を供給する。ここで、充電出力ＩＦ部１０３は、端子１０３−１、１０３−２、１０３−３を有している。充電器１００と携帯端末１０とが接続される際、端子１０３−１は充電ＩＦ部２０の端子２０−１、端子１０３−２は端子２０−２と接続されることで、充電出力ＩＦ部１０３は携帯端末１０の充電ＩＦ部２０に電力を供給する。また、端子１０３−３は充電器１００内部で接地された抵抗１０４と接続されており、充電器１００と携帯端末１０とが接続される際、端子１０３−３は充電ＩＦ部２０の端子２０−３と接続される。端子１０３−３は実施の形態１で述べた識別端子に対応する。
【００４８】
抵抗１０４は、充電器１００内部で接地されており、後述の通り、充電器１００と携帯端末１０を接続する場合には、携帯端末１０の充電検出部１９からの電流が、端子２０−３、端子１０３−３を経由して抵抗１０４に流れる。なお、充電検出部１９からの電流が抵抗１０４に流れるためには、抵抗１０４の抵抗値は携帯端末１０内部の抵抗値より少ない方が望ましい。
【００４９】
携帯端末１０において、充電ＩＦ部２０は、充電器１００との接続を行うインターフェイス部であり、充電器１００の充電出力ＩＦ部１０３に接続することで、携帯端末１０に電源安定化部１０２が出力した定電圧の直流電圧を供給する。充電ＩＦ部２０は、端子２０−１、２０−２、２０−３を有している。端子２０−１は、充電回路部１８に接続されている。端子２０−２は、携帯端末１０内部で接地されている。端子２０−３は、充電検出部１９と接続されている。
【００５０】
充電回路部１８は、端子２０−１経由で充電器１００からの電力供給を受け、二次電池２１を、適宜当該電力を用いて充電する。また、携帯端末１０と充電器が接続された際、端子２０−１経由で充電器から電流が流れたことを検出し、制御部１１にその情報を出力する。さらに、充電の際、制御部１１からの指令に応じて、二次電池２１の充電を制御し、過充電等を防ぐ機能を有する。その他の充電回路部１８の説明については、前述の通りであり、説明を省略する。
【００５１】
二次電池２１は、充電回路部１８経由で電力供給を受け、充電される二次電池である。また二次電池２１は、図２で示した携帯端末１０の各部に電力を供給する。その他の二次電池２１の説明については、前述の通りであり、説明を省略する。
【００５２】
充電検出部１９は、電圧を測定することで、充電ＩＦ部２０に接続された充電器に関する情報を取得する。例えば、携帯端末１０と充電器１００とが接続されている場合、充電検出部１９は端子２０−３を経由して、充電器１００の端子１０３−３と接続されている。つまり、充電検出部１９は接地された抵抗１０４と接続されていることから、充電検出部１９から抵抗１０４に電流が流れる。これにより、充電検出部１９が測定する電圧は略０Ｖである。以上の測定した電圧の情報を、充電検出部１９は制御部１１に出力する。
【００５３】
もう一例として、携帯端末１０と充電器２００とが接続されている場合、充電検出部１９は端子２０−３を経由して、充電器２００の端子２０３−３と接続されている。このとき、充電検出部１９はどこにも接続されず、外部（充電器２００）に電流が流れないことから、充電検出部１９が測定する電圧は略０Ｖとはならない。以上のように測定した電圧の情報を、充電検出部１９は制御部１１に出力する。
【００５４】
つまり充電検出部１９は、端子２０−３が所定の充電器に接続されているか否かに関する情報を取得し、制御部１１に提供する。その他の充電検出部１９に関する説明は、上記と同様である。
【００５５】
制御部１１は、使用者が携帯端末１０に充電器を接続した場合、充電回路部１８が出力した充電器の接続に関する通知を取得した上で、充電検出部１９から、測定している電圧に関する情報を取得する。携帯端末１０に充電器１００が接続された場合、充電検出部１９に接地された抵抗１０４が接続されるため、充電検出部１９が測定する電圧は略０Ｖである。このとき、制御部１１は測定電圧のロジックレベルをＬｏｗレベルとして判定する。他方、携帯端末１０に一般の充電器２００が接続された場合には、接地された抵抗１０４が存在していないため、充電検出部１９が測定する電圧は略０Ｖとはならない。このとき、制御部１１は測定電圧のロジックレベルをＨｉレベルとして判定する。
【００５６】
ロジックレベルの例として、二次電池２１の平均出力電圧が３．６Ｖのとき、半値の１．８Ｖを閾値として、充電検出部１９が測定する電圧が０〜１．８Ｖの間であれば測定電圧のロジックレベルをＬｏｗレベルとして判定し、充電検出部１９が測定する電圧が１．８〜３．６Ｖの間であれば測定電圧のロジックレベルをＨｉレベルとして判定してもよい。あるいは、充電検出部１９が測定する電圧が０〜０．８Ｖの間であれば測定電圧のロジックレベルをＬｏｗレベルとして判定し、充電検出部１９が測定する電圧が２〜３．６Ｖの間であれば測定電圧のロジックレベルをＨｉレベルとして判定してもよい。この場合、充電検出部１９が測定する電圧が０．８〜２Ｖであれば、ロジックレベルはＬｏｗレベルとＨｉレベルの間にあるスレッシュホールド・レベルと見なされる。以上のようなロジックレベルによる判定により、制御部１１は、所定の充電器が接続されたか否かを識別することができる。制御部１１は、充電器の識別結果に応じて、図４以降に示す画面の表示制御処理を行う。
【００５７】
まとめると、充電器１００と携帯端末１０は、充電出力ＩＦ部１０３と充電ＩＦ部２０によって接続される。その際、充電器１００から供給される電力によって二次電池２１が充電されると共に、充電器１００内に実装されている接地された抵抗１０４が携帯端末１０の充電検出部１９に接続される。充電検出部１９は電圧を測定し、制御部１１に電圧に関する情報を出力する。制御部１１は、測定電圧のロジックレベルがＬｏｗレベルであると判定することで、充電器１００が所定の充電器であると判定を行う。
【００５８】
次に、本実施形態の具体的な表示制御について説明する。図４は、本実施形態において、制御部１１が行う画面の表示制御を示す制御フローである。まず、制御部１１は携帯端末１０が、現在、所定の充電器（充電器１００）に接続されているか否かを判定する（ステップＳ１）。所定の充電器に接続されていないと制御部１１が判定した場合（ステップＳ１のＮｏ）、制御部１１は携帯端末１０を前述の通知抑制モードに設定せず、使用者が設定した通常の動作モードでの制御を行う。つまり、制御部１１は表示部１２に対し、携帯端末１０が起動されている際、使用者が通常設定している画面を表示させる制御を行う。このとき、画面表示の輝度は、使用者が通常の状態で使用するレベルの輝度である。また、制御部１１はキーバックライト１６−２を点灯させる。以上の処理を行った後、制御部１１は表示制御の処理を終了する。なお、ステップＳ１で制御部１１が行う判定方法の詳細は、前述の通りである。
【００５９】
制御部１１が、携帯端末１０が所定の充電器に接続されていると判定した場合、制御部１１は、携帯端末１０が起動状態にあるか否かを判定する（ステップＳ２）。使用者が筐体を開く動作を行なわず、携帯端末１０が起動状態になっていないと制御部１１が判定した場合（ステップＳ２のＮｏ）、制御部１１は表示部１２の表示を行う制御をせず、表示制御の処理を終了する。
【００６０】
制御部１１が、使用者が携帯端末１０の筐体を開いたと判定する場合（ステップＳ２のＹｅｓ）、制御部１１は携帯端末１０を起動状態にする。このとき、制御部１１は表示部１２を、通知抑制モードに設定している。そして、制御部１１は、送受信部１７から電話若しくはメールの着信に関する情報の検索を行い、着信情報の有無の判定を行う（ステップＳ３）。着信情報が無い場合には（ステップＳ３のＮｏ）、制御部１１は時計回路１３から時刻データの情報を読み出し、表示部１２に、第１の低輝度表示状態にある時刻表示を行わせる制御を行う（ステップＳ４）。このとき、制御部１１はキーバックライト１６−２を点灯させる制御を行わず、消灯させたままにした上で、表示制御の処理を終了する。
【００６１】
図５は、ステップＳ４にて、表示部１２が、第１の低輝度表示状態で時刻表示を行った際の画面表示例（第１の画面表示例）である。図５にかかる画面表示には、背景表示が黒画面で、時刻データのみが白抜き文字で表示されている。制御部１１は、記憶部１５に登録された黒画面を背景にした表示データを取得し、ディスプレイ１２−１にその黒画面を背景にした表示データを表示させる制御データを送出することで、背景画面を表示させている。制御部１１はそれと共に、時計回路１３から時刻データを取得し、同様の制御により、時刻データをディスプレイ１２−１に白抜き文字で表示させている。なお、ここでいう「黒」とは、漆黒色だけではなく、紫黒色、墨色、石板色などの色でもよい。また、文字表示の色である「白」も純白色だけではなく、パールグレー、乳白色、灰白色といった色でもよい。文字情報の色表示が背景画面の色表示よりも高明度の色で表示されていれば、文字情報、背景画面はその他の色で表示されていてもよい。
【００６２】
また制御部１１は、図５にかかる画面表示を行う際、表示部１２における背景画面の輝度を、通常設定される輝度より暗い微灯状態（第１の低輝度表示状態）に設定する。第１の低輝度とは、通常の動作モードでの輝度よりも低輝度であればよい。例えば、深夜等、携帯端末１０の周囲の環境が十分に暗い場合における、周囲の環境と同程度の極めて低い輝度のことでもよい。制御部１１は、この第１の低輝度に表示部１２の背景画面の輝度を設定するように、ディスプレイ１２−１及び表示画面バックライト１２−２の制御を行う。具体的には、制御部１１は表示画面バックライト１２−２の輝度を低下させて、表示画面に表示される文字が暗い環境でもまぶしくないようにする。つまり、表示画面の文字表示の部分（光の透過率が高い部分）から放出される光を低減する。この時、表示画面の背景画面では光の透過率が低いため、バックライトから放出される光の輝度が低いレベルとなっている。以上のようにして、制御部１１は、表示部１２に対して、黒画面を背景とし、まぶしさを感じないように輝度が設定された白抜き文字での文字情報を表示させる。
【００６３】
なお、上述のような輝度制御に関しては、既存技術であるＰＷＭ（Ｐｕｌｓｅ  Ｗｉｄｔｈ  Ｍｏｄｕｌａｔｉｏｎ）方式による電源制御や、ＬＥＤの印加電圧を低下させることによる微灯制御等が広く知られている。例えばＰＷＭ方式を本実施形態にて用いる場合は、表示画面バックライト１２−２を点灯させる周期を長くすることにより、第１の低輝度表示状態を容易に実現することが可能である。以上の制御により、表示部１２には、第１の低輝度表示状態に設定され、黒の背景画面に白抜き文字で時刻情報が表示された画面が表示される。また、この際に、キーバックライト１６−２は消灯状態になっている。
【００６４】
次に、制御部１１が送受信部１７から着信情報の検索を行った際に（ステップＳ３）、制御部１１が着信情報を検出した場合について説明する（ステップＳ３のＹｅｓ）。まず、制御部１１は、検出した着信が他の電話からの着信であるかどうかを判定する（ステップＳ５）。着信が他の電話からの着信であると制御部１１が判定した場合（ステップＳ５のＹｅｓ）、制御部１１は送受信部１７から取得した相手の電話番号の情報と共に、時計回路１３から取得した時刻データを、第１の低輝度表示状態で表示部１２に表示させる（ステップＳ６）。ステップＳ４と同様、制御部１１はキーバックライト１６−２を点灯させる制御を行わず、消灯させたままにする。
【００６５】
図５は、ステップＳ６にて、表示部１２が、第１の低輝度表示状態で電話番号及び時刻データの表示を行った際の画面表示例（第２の画面表示例）である。なお、ディスプレイ１２−１及び表示画面バックライト１２−２に対する制御部１１の制御方法は、前述のステップＳ４の画面表示の制御方法と同様である。以上の制御により、表示部１２には図６の通り、第１の低輝度表示状態に設定され、黒の背景において、白抜き文字で時刻データ及び相手先の電話番号が表示された画面が表示される。制御部１１は以上の処理を行った上で、表示制御の処理を終了する。
【００６６】
ステップＳ５において、制御部１１が、着信は他の電話からの着信ではないと判定した場合（ステップＳ５のＮｏ）、制御部１１は、検出した着信がメールの着信であると判定する（ステップＳ７）。制御部１１は送受信部１７から取得したメールの情報と共に、時計回路１３から取得した時刻データを、第１の低輝度表示状態で表示部１２に表示させる（ステップＳ８）。また、ステップＳ４と同様、キーバックライト１６−２は消灯されたままである。
【００６７】
図６は、ステップＳ８にて、表示部１２が、第１の低輝度表示状態でメールの受信情報及び時刻データの表示を行った際の画面表示例（第３の画面表示例）である。ディスプレイ１２−１、及び表示画面バックライト１２−２に対する制御部１１の制御方法は、ステップＳ４及びステップＳ６の画面表示の制御方法と同様である。なお、図６の画面表示例においては、メールの着信にあたり、制御部１１は記憶部１５中に保管されたメールアドレスのデータを参照し、着信メールが誰から送信されたかを判定して、表示部１２に表示させている。以上の制御により、表示部１２には図７の通り、第１の低輝度表示状態に設定され、黒の背景において、白抜き文字で時刻データ及び相手電話番号が表示された画面が表示される。制御部１１は以上の処理を行った上で、表示制御の処理を終了する。
【００６８】
以上の制御により、使用者は、就寝時に使用者の自宅、寝室などの特定の場所にて、所定の充電器（充電器１００）により携帯端末１０を充電することで、睡眠から目覚めた直後において、時刻や着信情報を得るために携帯端末１０の筐体を開いた場合、使用者は最適化された輝度及び情報内容の画面表示を見ることができる。つまり、使用者に対する通知が適切に制御された画面を、使用者は見ることができる。
【００６９】
一般に、就寝中の目覚めた直後等において携帯端末を使用する場合、携帯端末の画面表示の輝度は、使用者が通常状態で使用する輝度に調整されていることが多い。その場合、表示画面を見ることで、まぶしさによる不快感が生じる。表示画面の視認性は、周囲の明るさ及び使用者の状況に大きく依存するからである。また、携帯端末を起動する毎に、輝度が高い画面表示が行われることで、無駄な電流が消費される。
【００７０】
表示画面の輝度を使用者が手動で調整する方式では、表示輝度の適正化や端末の省電力化を行うために、輝度調整を毎回使用者が行う必要があり、不便が生ずる。また、一度、使用者が高輝度に表示画面を設定したままにすると、使用者は設定を高輝度のままにしてしまうことが多い。その場合、表示輝度の適正化や端末の省電力化を行うことができない。
【００７１】
さらに、携帯端末の表示画面には数々のアイコンと言われるマーク類が表示されるため、例えば使用者が必要な時刻情報等が一目では判らず、使用者が携帯端末の表示を長時間探し続けるという、使用上における問題があった。
【００７２】
本実施の形態では、所定の充電器を用いた充電を行うことで低輝度の状態に設定された背景画面を使用者が見るように設定できるため、画面を見た際のまぶしさといった不快感が軽減される。また、時刻データ、着信にかかる電話番号及びメール着信の情報といった、使用者にとって重要度が高い表示すべき情報のみを、白文字という目立つ形式で表示させているので、使用者は一目で重要な情報を把握することができる。さらに、背景画面の輝度が低輝度であり、キーバックライト１６−２は消灯の状態であるため、携帯端末１０の消費電力を削減することができる。
【００７３】
なお、着信情報が電話とメールの両方ある場合には、両方の情報とも同様に、黒背景に白文字で表示するようにしてもよい。
【００７４】
次に、携帯端末１０が所定の充電器（充電器１００）を用いて充電されており、使用者が携帯端末１０の筐体を開けた状態で、携帯端末１０のキー操作部１６−１のいずれかのキーを押した場合の制御部１１の制御について、図８を用いて説明する。まず、制御部１１は、キー操作部１６−１が押されたかどうかを、キー操作部１６−１の送出した情報を検知することによって判定する（ステップＳ１１）。
【００７５】
ステップＳ１１にて、使用者がボタンを押す操作をしていないと判定された場合（ステップＳ１１のＮｏ）、制御部１１は表示部１２を、第１の低輝度表示状態で、黒背景の画面に白抜き文字で情報が表示される前述の画面状態をそのまま継続して表示させる制御を行う（ステップＳ１２）。
【００７６】
ステップＳ１２の処理の後、制御部１１は、開閉検出部１４からの情報に基づいて、携帯端末１０の開閉状態の判定を行う（ステップＳ１３）。もし携帯端末１０が開いた状態のままであると判定されれば（ステップＳ１３のＮｏ）、制御部１１は、ステップＳ１１に戻って処理を行う。
【００７７】
ステップＳ１３にて、携帯端末１０が閉じられた状態になったと判定されれば（ステップＳ１３のＹｅｓ）、制御部１１は表示部１２に表示された表示情報の消去及び表示画面バックライト１２−２を消灯する制御を行う（ステップＳ１４）。つまり、制御部１１は表示部１２の表示を消す。制御部１１は携帯端末１０を、元の状態に戻して、本制御を終了させる。本制御の終了後、所定の充電器による充電中に使用者が再び携帯端末１０を開いた場合、使用者は前述の第１の低輝度表示状態の画面を再び見る。
【００７８】
ステップＳ１１にて、使用者がキー操作部１６−１のいずれかのキーを押したと判定された場合（ステップＳ１１のＹｅｓ）、制御部１１ではキー操作部１６が検出した入力情報に基づき、第１の低輝度表示状態を中断させ、通常の表示状態に移行するように、表示部１２を制御する（ステップＳ１５）。また、制御部１１はキーバックライト１６−２の制御を行い、点灯させる（ステップＳ１６）。以上の制御により、携帯端末１０は通常の起動状態に復帰し、所定の充電器による充電中であっても、使用者は画面の表示及びキーバックライト１６−２の照光動作を元に戻すことができる。つまり、使用者が携帯端末１０を使用するためにキーを押すことで、携帯端末１０は通常の起動状態に入り、使用者は通常通り携帯端末１０を使用することができる。
【００７９】
ステップＳ１６の処理の後、制御部１１は、開閉検出部１４からの情報に基づいて、携帯端末１０の開閉状態の判定を行う（ステップＳ１７）。もし携帯端末１０が開いた状態のままであると判定されれば（ステップＳ１７のＮｏ）、制御部１１は、ステップＳ１７に戻って処理を行う。
【００８０】
ステップＳ１７にて、携帯端末１０が閉じられた状態になったと判定されれば（ステップＳ１７のＹｅｓ）、制御部１１はキーバックライト１６−２を消灯させる制御を行い（ステップＳ１８）、表示部１２に表示された表示情報の消去及び表示画面バックライト１２−２を消灯する制御を行う（ステップＳ１４）。以上のようにして、制御部１１は携帯端末１０を元の状態に戻し、本制御を終了させる。本制御の終了後、所定の充電器による充電中に使用者が再び携帯端末１０を開いた場合、使用者は通知抑制モードによる第１の低輝度表示状態の画面を再び見る。
【００８１】
以上の制御により、使用者は、携帯端末１０が第１の低輝度表示状態の画面表示状態にある場合でも、キー操作部１６−１を操作することで、携帯端末１０を通常の起動状態に戻すことができる。また、使用者が携帯端末１０を閉じた状態にすることで、携帯端末１０を、再度、通知抑制モードによる第１の低輝度表示状態の画面表示状態にすることができる。
【００８２】
以上説明したことから、本実施の形態にかかる携帯端末は、以下に記載するような効果を奏する。第１の効果は、睡眠から目覚めた直後、表示を見た際に感じるまぶしさといった不快感が軽減されることである。第２の効果は、必要最低限の情報のみが画面に表示されることで、使用者に一目で情報内容を判断させられることである。第３の効果は、就寝時に、携帯端末を時刻又は着信情報を確認するためのみに起動し、操作を行わない場合において、携帯端末の消費電力を削減できることである。これは、表示画面及びキーバックライトの照光を制御することによって達成できる。以上から、表示輝度及び画面表示内容の適正化、消費電力の削減を行うことで、使用者に対する通知を適切に抑制することができる携帯端末及び携帯端末の制御方法を、提供することができる。
【００８３】
なお、本発明は上記実施の形態に限られたものではなく、趣旨を逸脱しない範囲で適宜変更することが可能である。例えば、実施の形態２においては、以下の通り、形態を変更することができる。
【００８４】
制御部１１は表示画面についてだけでなく、着信音、バイブレート動作、携帯端末１０の筐体に設けられたＬＥＤライトの点灯といったことに関しても、携帯端末１０が通知抑制モードに設定されている場合に、通常の動作モードとは異なる制御を実行してもよい。つまり、制御部１１は携帯端末１０が通知抑制モードに設定されている場合に、着信音は消音させるか極めて低い音量、バイブレート動作は行わないか微かな振動のみ、携帯端末１０の筐体に設けられたＬＥＤライトは着信情報があっても発光は行わないか微灯状態にする、といった制御を行ってもよい。また、電話やメールの着信がある際でも、着信自体を通知しないようにしてもよい。以上の設定により、深夜等に使用者が就寝中の状態における携帯端末１０の設定を、より適正化することができる。
【００８５】
表示部１２は、液晶ディスプレイだけでなく、有機ＥＬ（Ｅｌｅｃｔｒｏ−Ｌｕｍｉｎｅｓｃｅｎｃｅ）ディスプレイ、無機ＥＬディスプレイといったディスプレイで構成されていてもよい。
【００８６】
操作部１６は、キー操作部及びキーバックライトだけではなく、タッチパッド等のポインティングデバイスでもよい。あるいは、タッチパネル等、表示部のディスプレイと一体となった操作部でもよい。つまり、使用者が操作可能な部分であり、操作をすることで携帯端末１０に情報を入力することができるならば、操作部１６は任意のものでよい。
【００８７】
また、携帯端末１０に照度センサを設け、携帯端末１０が所定の充電器で充電され、かつ照度センサで測定した周囲の照度が一定以下であることを制御部１１が検知した場合において、制御部１１は携帯端末１０を通知抑制モードに設定してもよい。つまり、深夜等の暗い環境下、携帯端末１０が所定の充電器で充電されている場合には、携帯端末１０は通知抑制モードに設定されるが、昼間の明るい環境下、携帯端末１０が所定の充電器で充電されている場合には、携帯端末１０は通常の動作モードに設定される。
【００８８】
あるいは、携帯端末１０が所定の充電器で充電され、かつ現在時間が所定の時間帯である場合に、制御部１１は携帯端末１０を通知抑制モードにしてもよい。例えば、使用者は午後１１時〜午前６時を所定の時間帯として設定し、携帯端末１０が所定の充電器で充電されている場合、使用者が午前０時に携帯端末１０を起動させると、携帯端末１０は通知抑制モードの状態で動作を行う。この場合、時刻のみの設定だけでなく、日付による設定も可能としてもよい。
【００８９】
また、携帯端末１０の置き場所を特定できるシステム（ＧＰＳ、無線ＬＡＮ等の位置情報検出機能）を所定の充電器と併用して使用することで、同様の制御を行ってもよい。例えば、携帯端末１０が自宅にあること、かつ所定の充電器で充電が行われていることを制御部１１が検知した場合に、携帯端末１０は通知抑制モードの状態に設定される。
【００９０】
図４及び図８に示した制御フローにて、処理を行うステップの順番は適宜変えてもよい。例えば、図４にて、携帯端末１０が所定の充電器に接続されているか否かの判定を行うステップＳ１と、携帯端末１０は起動状態か否かの判定を行うステップＳ２の処理はどちらを先に行ってもよい。また、ステップＳ５で、電話着信情報の有無ではなく、メール着信情報の有無の判定を行ってもよい。さらに、図８において、通常の表示状態に表示部１２を制御するステップＳ１５とキーバックライト１６−２を制御して点灯させるステップＳ１６、また、通常の表示状態から端末を閉じた際に行うキーバックライト１６−２を消灯させるステップＳ１８と表示画面バックライト１２−２を消灯させるステップＳ１４の処理は、いずれを先に行ってもよい。
【００９１】
また、画面に表示させる電話及びメール着信情報は、予め指定した連絡先のみを表示するようにしてもよい。携帯端末１０が通知抑制モードに設定されている場合において表示される時刻データは、日付、月、年の情報を含まず、時刻情報のみとしてもよい。
【００９２】
充電器１００は、抵抗１０４は存在せず、単に端子１０３−３が接地されている構成でもよい。つまり、充電器１００は、携帯端末１０の充電検出部１９から端子１０３−３を経由して充電器１００の接地面に電流が流れることで、充電検出部１９が測定する電圧が略０Ｖである充電器であればよい。
【００９３】
また、表示部１２が第１の低輝度表示状態の表示を行った後、一定時間使用者による操作が行われなければ、制御部１１は携帯端末１０の起動を停止するとしてもよい。なお、その場合に携帯端末１０を再起動させるには、使用者のキー操作による入力情報を制御部１１が検知することで、制御部１１が携帯端末１０を再起動させる制御を行うのが一例である。
【００９４】
さらに、通知抑制モードにおいて表示される文字情報も、通常の画面の文字情報表示よりも大きくして、使用者が情報をより見やすくするように制御部１１が制御を行ってもよい。さらに、通知抑制モードにおいて、キーバックライト１６−２は完全な消灯を行うように制御せず、低輝度で点灯する状態に制御してもよい。
【００９５】
また、図８において、第１の低輝度表示状態において使用者がキー操作部を押した際、画面は通常の表示状態に制御されるとした（図８のステップＳ１５）。しかし制御部１１は、一度に画面を通常の表示状態にするのではなく、第１の低輝度よりも高い輝度で且つ通常の画面表示状態よりも低い輝度である第２の低輝度に、最初に背景画面を設定してもよい。この画面の表示状態を、第２の低輝度表示状態とする。これは、使用者が、いきなり通常の輝度の背景画面を見ることで、まぶしさといった不快感を覚えるのを防ぐためである。なお、使用者が携帯端末を本格的に使用する状況であることを考慮すると、この際の画面の表示内容は、通常の使用時の表示画面の内容にするのが望ましい。制御部は、画面表示を第２の低輝度表示状態にした後、そのままの輝度で画面表示を行ってもよいし、漸次、背景画面の輝度を上げ、最終的に通常の輝度に設定するようにしてもよい。
【００９６】
第１の低輝度表示状態において使用者がキー操作部を押した際、制御部は一度に画面を通常の表示状態若しくは第２の低輝度表示状態にするのではなく、漸次、背景画面を通常の輝度に戻すように制御してもよい。
【００９７】
なお、実施の形態１及び２においては、携帯端末の筐体を開閉することにより、携帯端末が起動される形態の場合について説明した。しかし、筐体を横にスライドさせることによって起動される携帯端末、又は、開閉、スライド等の可動部が無い形状で、いずれかのキーを押下すること等で起動を行うストレート型の携帯端末に関しても、上記の説明と同様の制御が可能なことは明白である。例えば、ストレート型の携帯端末で、携帯端末は通知抑制モードが有効になっており、起動を停止している状態の場合、一回携帯端末のボタンを押すと、表示画面は前述の第１の低輝度表示状態での表示がなされる。次に携帯端末のボタンを押すと、第１の低輝度表示状態は解除されて通常の表示画面が表示される、としてもよい。また、表示部に指を接触させることで操作を行う、タッチパネル型の携帯端末（表示部と操作部が物理的に同じ部分にある）でも、同様の制御が行える。
【００９８】
さらに、携帯端末の筐体表面の箇所（例えば表示部の裏）に、実施の形態１及び２における表示部とは別の液晶ディスプレイ等の表示画面がある場合も考えられる。そのような別の表示画面に対しても、実施の形態２と同様の画面制御を行うことができる。
【符号の説明】
【００９９】
１  通知部
２  制御部
３  充電器検出部
１０  携帯端末
１１  制御部
１２  表示部
１２−１  ディスプレイ
１２−２  表示画面バックライト
１３  時計回路
１４  開閉検出部
１５  記憶部
１６  操作部
１６−１  キー操作部
１６−２  キーバックライト
１７  送受信部
１８  充電回路部
１９  充電検出部
２０  充電ＩＦ部
２０−１、２０−２、２０−３  端子
２１  二次電池
１００  充電器
１０１  ＡＣ電源ＩＦ部
１０２  電源安定化部
１０３  充電出力ＩＦ部
１０３−１、１０３−２、１０３−３  端子
１０４  抵抗
２００  一般の充電器
２０１  ＡＣ電源ＩＦ部
２０２  電源安定化部
２０３  充電出力ＩＦ部
２０３−１、２０３−２、２０３−３  端子
【図１】
0005630818.tif 000002
【図２】
0005630818.tif 000003
【図３】
0005630818.tif 000004
【図４】
0005630818.tif 000005
【図５】
0005630818.tif 000006
【図６】
0005630818.tif 000007
【図７】
0005630818.tif 000008
【図８】
0005630818.tif 000009